(57)【特許請求の範囲】
【請求項１】
相対向する両側板の内側対向面に形成された取付孔に嵌合保持されて棚板の両端縁部を支持する棚受け部材において、該棚受け部材を互いに連接された取付孔挿入部と棚板支持部とで構成し、さらに上記取付孔挿入部を、その先端部から棚板支持部に向けて順に小径竿部と大径竿部とこれら両竿部の間に連接されて徐々に大径となる傾斜竿部とで構成してなる棚受け部材。
【請求項２】
上記取付孔挿入部の小径竿部と傾斜竿部と大径竿部とのそれぞれの取付孔挿入方向の長さを、小径竿部を最大長さとし傾斜竿部を小径竿部よりも短くし、さらに大径竿部が傾斜竿部よりも短くされた請求項１記載の棚受け部材。
【請求項３】
上記棚板支持部の外径を上記大径竿部の外径よりも大きくするとともに、上記取付孔挿入部が取付孔に嵌合保持されたとき、棚板支持部と側板との間に間隙が形成されるように上記棚板支持部と大径竿部との連接部に膨出部が形成された請求項１記載の棚受け部材。
【発明の詳細な説明】
【技術分野】
【０００１】
本願発明は棚受け部材に関する。さらに詳しくは、サイドボードや食器棚、書籍棚等のキャビネットタイプの家具において、側板間に架設される棚板を受けるための棚受け部材に関するものである。
【背景技術】
【０００２】
近年、化粧合板もしくは中密度繊維板（ＭＤＦ）等の木質基材またはムクの板材を側板として用い、左右の側板を背板で結合するとともに、これら左右側板の間に棚板が架設されたキャビネットタイプの家具が普及している。ここで、上記側板の内側縦方向の左右側には、ダボ穴とも称される凹部が等間隔あるいは不等間隔で相対向して２列に設けられ、この凹部に棚受け部材の挿入部を嵌入し、突出する棚受け部材の受け部で棚板が支持され架設される。
【０００３】
上記キャビネットタイプの家具は、サイドボードや食器棚、書籍棚等として盛んに用いられ、上記棚板は食器類やカップ、花瓶等の装飾品、あるいは書籍等を載置する載置部として機能する。ここで、例えば書籍棚として用いる場合、通常、載置する書籍の背の高さごとに分けて書籍をまとめ、収納することが多い。
【０００４】
そこで、棚板どうしの上下間隔を書籍の高さに応じて適宜調節できることが求められる。このとき、上記棚板の位置調節は、上記相対向するダボ穴の所望の位置に棚受け部材を嵌入することによって行われる。
【０００５】
上記棚受け部材は棚受けダボとも称され、この棚受けダボとダボ穴を用いて棚板を支持する構造は公知であり、各種技術が提案されている。例えば、特開平９−２３９３７号公報には、家具の棚板を支持するために側板に取り付けられる棚受けダボであって、側板に設けたダボ穴に挿入される挿入部と棚板を受ける受け部とから成り、挿入部の周面の一部に挿入方向に長い切欠部を設けたことを特徴とする棚受ダボが開示されている。
【０００６】
そして、上記切欠部を設けることにより、この切欠部が側板のダボ穴を構成する周壁に接触しない分、接触面積が減るため、挿入部の挿入及び抜き取りを行う際の摩擦が小さくなるため、多軸ボール盤により複数個同時に形成されるダボ穴の中で、各ドリルの径の相違や側板の材質等の相違により生じたある程度径の小さい穴にも、挿入部をスムーズに挿入及び抜き取り可能となるとの効果が記載されている。
【先行技術文献】
【特許文献】
【０００７】
【特許文献１】特開平９−２３９３７号公報
【発明の概要】
【発明が解決しようとする課題】
【０００８】
上記棚受けダボとダボ穴を用いて棚板を支持する構造においては、ダボ穴に生じる寸法誤差、バラツキに対応することができる棚受けダボ必要である。そして、付随的には例えば、書籍棚として用いるとき、書籍の背の高さと棚板の間隔がバランスしているか等の棚板の位置調整を行うことがしばしば行われる。このとき、棚受けダボを仮固定できれば上記位置調整を容易に行える。上記特許文献１に記載の技術においては、かかる点についての言及はない。
【０００９】
本願発明はこのような状況に鑑みて考え出されたものであり、その目的は、棚受け部材を取付孔（ダボ穴）に容易に嵌合、挿入できるものであり、付随的には棚受け部材を取付孔に仮固定して棚板の取付け位置を容易に変更、調整可能とした棚受け部材を提供することである。
【課題を解決するための手段】
【００１０】
上記課題を解決するために、本願請求項１に記載の発明に係る棚受け部材では、相対向する両側板の内側対向面に形成された取付孔に嵌合保持されて棚板の両端縁部を支持する棚受け部材において、該棚受け部材を互いに連接された取付孔挿入部と棚板支持部とで構成し、さらに上記取付孔挿入部を、その先端部から棚板支持部に向けて順に小径竿部と大径竿部とこれら両竿部の間に連接されて徐々に大径となる傾斜竿部とで構成してなることを特徴とする。
【００１１】
本願請求項２に記載の発明に係る棚受け部材では、上記取付孔挿入部の小径竿部と傾斜竿部と大径竿部とのそれぞれの取付孔挿入方向の長さを、小径竿部を最大長さとし傾斜竿部を小径竿部よりも短くし、さらに大径竿部を傾斜竿部よりも短くしたことを特徴とする。
【００１２】
本願請求項３に記載の発明に係る棚受け部材では、上記棚板支持部の外径を上記大径竿部の外径よりも大きくするとともに、上記取付孔挿入部が取付孔に嵌合保持されたとき、棚板支持部と側板との間に間隙が形成されるように上記棚板支持部と大径竿部との連接部に膨出部を形成したことを特徴とする。
【発明の効果】
【００１３】
本願請求項１記載の発明に係る棚受け部材においては、取付孔挿入部とこの取付孔挿入部に連接される棚板支持部とで構成され、上記取付孔挿入部を、その先端部から順に小径竿部と大径竿部とこれら両竿部の間に連接されて徐々に大径となる傾斜竿部とで構成してなり、上記取付孔には、まず小径竿部が挿入されることになるため、棚受け部材の取付孔への初期の嵌合挿入作業が取付孔に寸法誤差、バラツキがあっても容易に行うことができる。そして取付孔の寸法誤差が大きい側に生じている場合にも、小径竿部の他端が大径竿部に連接され、傾斜竿部の周囲面がテーパ面であるため容易に挿入され大径竿部により緩みなく挿入することができる。いずれにしても棚受け部材においては、取付孔に寸法誤差、バラツキがあっても大径竿部まで容易に嵌合、挿入できるものである。
【００１４】
また、付随的効果ではあるが上記傾斜竿部は一端が小径竿部に連接され、他端が大径竿部に連接されるラッパ状であるため周囲面がテーパ面となり、取付孔挿入部を取付孔に嵌合するとき、取付孔挿入部を取付孔に完全に挿入する前段階で、傾斜竿部のうちその径大部分を取付孔に臨時に仮係止させることができ、即ち、傾斜竿部のテーパ面を利用して該棚受け部材を取付孔に仮固定することが可能となり、従って、棚板の取付け位置の調整、変更を最終決定するまでは、該仮固定された棚受け部材の取り付け位置の変更を容易に行うことができる。
【００１５】
本願請求項２記載の発明に係る棚受け部材においては、上記取付孔挿入部の小径竿部と傾斜竿部と大径竿部とのそれぞれの取付孔挿入方向の長さを、小径竿部を最大長さとし傾斜竿部を小径竿部よりも短くし、さらに大径竿部を傾斜竿部よりも短くしているため、大径竿部は短くても取付孔にしっかりと装着され、棚板を安定した状態でガタ付くことなく支持することができる。
【００１６】
又、取付孔挿入部が取付孔に完全に挿入されていない状態においても、大径竿部の長さに比較して小径竿部や傾斜竿部の長さが大きいので、該取付孔挿入部が取付孔に完全に固定されていなくても、該取付孔挿入部が、該取付孔から外れにくく、従って、棚板の取付位置の調整作業を簡単に行える。
【００１７】
さらに上記取付孔挿入部は外径の異なる３種の竿部から構成されているため、ドリルの径の相違や側板の材質等の相違により生じた取付孔の径のバラツキにも対応してスムーズに挿入および抜き取りを行うことができる。
【００１８】
本願請求項３記載の発明に係る棚受け部材においては、上記棚板支持部の外径を上記大径竿部の外径よりも大きくし、棚板支持部と側板との間に間隙が形成されるように上記棚板支持部と大径竿部との連接部に膨出部を形成しているため、上記間隙を利用することによって、棚受け部材を取付孔へ装着した後の取り外し、再取り付け作業が容易に行える。
【００１９】
とくに棚受け部材を堅く装着した場合でも、この間隙に指や治具を挿入して棚受け部材を取付孔から容易に離脱させることができる。
【図面の簡単な説明】
【００２０】
【図１】（ａ）本願発明に係る棚受け部材の構成を示す側面図。（ｂ）図１（ａ）におけるＸ−Ｘ線から視た正面図。
【図２】（ａ）本願発明に係る棚受け部材の取付孔挿入部を側板に凹設された取付孔に嵌合し、棚板を受けた状態を示す断面説明図。（ｂ）上記棚受け部材を示す外観斜視図。
【発明を実施するための形態】
【００２１】
以下、本願発明に係る棚受け部材の実施形態を、図面を参照して詳細に説明する。図１（ａ）は、上記棚受け部材Ａの構成を示す側面図である。図１（ａ）に示すように、上記棚受け部材Ａは、取付孔挿入部１とこの取付孔挿入部１の最大外径よりもさらに大きな外径を有する棚板支持部２とが連接して構成されている。
【００２２】
図１（ａ）に示すように、上記取付孔挿入部１は小径竿部１１と傾斜竿部１２と大径竿部１３とからなり、上記傾斜竿部１２は、小径竿部１１と大径竿部１３との間に連接されている。ここで、上記傾斜竿部１２の小径竿部１１側の端部は小径竿部１１の外径と略同一とされるとともに、傾斜竿部１２の外径は棚板支持部２に向けて徐々に大径となり、ついには大径竿部１３の外径と略同一となって連接される。
【００２３】
このとき、図示するように、上記取付孔挿入部１の小径竿部１１と傾斜竿部１２と大径竿部１３とのそれぞれの取付孔挿入方向の長さは、小径竿部１１を最大長さとして傾斜竿部１２を小径竿部１１よりも短くし、さらに大径竿部１３を傾斜竿部１２よりも短くして構成されている。
【００２４】
ここで、取付孔は、例えば、書籍棚の両側板の内側縦方向の左右側に等間隔あるいは不等間隔で相対向して２列に設けられ、この取付孔に上記取付孔挿入部１が挿入され、側板より突出した棚板支持部２によって棚板が支持される。
【００２５】
一方、棚板支持部２においては、その外径は上記大径竿部１３の外径よりも大きく、上記大径竿部１３と棚板支持部２との連接部には膨出部２１が形成されている。この膨出部２１は、後記するように取付孔挿入部１が側板３に設けられた取付孔３１に嵌合保持されたとき（図２参照）、棚板支持部２と側板３との間に間隙５が形成されるように設けられている。
【００２６】
図１（ｂ）は図１（ａ）におけるＸ−Ｘ線方向から視た正面図であり、図示するように、上記棚板支持部２の後端面には凹部２２が設けられている。この凹部２２は、取付孔挿入部１を取付孔３１にドライバーで螺挿するときのドライバー係合凹所として、あるいは取付孔挿入部１を取付孔３１に打叩して嵌合する際の治具の係止部の係合凹所として利用することができる。
【００２７】
図２（ａ）は、図１（ａ）に示す本願発明に係る棚受け部材Ａの取付孔挿入部１を書籍棚等の側板３に凹設された取付孔３１に嵌合し、棚板４を受けた状態を示す断面説明図である。ここで、図示するように棚受け部材Ａの棚板支持部２は側板３より突出し、棚板４の下端底面に形成された係止部４１に嵌合して棚板４を支持する。
【００２８】
図２（ｂ）は、上記棚受け部材Ａを示す外観斜視図である。図２（ｂ）に示すように、傾斜竿部１２はその周囲面がテーパ面とされているため、取付孔挿入部１を上記取付孔３１に嵌合したとき、このテーパ面を取付孔３１に係止して仮固定することが可能となる。そして、棚板４の取付け位置の調整、変更を容易に行うことができる。
【００２９】
また、取付孔挿入部１の小径竿部１１の先端部の周囲は面取りをされ、かつその一部は傾斜面とされているため、取付孔３１への嵌合、挿入が容易に行え、さらに棚板４の取付け位置の調整、変更を容易に行うことができる。
【００３０】
さらに、大径竿部１３と棚板支持部２との連接部には上記膨出部２１が形成されているため、取付孔挿入部１を上記取付孔３１に嵌合したとき、図２（ａ）に示すように棚板支持部２と側板３との間に間隙５が形成される。この間隙５を設けることによって、棚受け部材Ａを取付孔３１へ装着した後の取り外し、再取り付け作業を容易に行える。とくに棚受け部材Ａを堅く装着した場合でも間隙５を利用し、指や治具を使って棚受け部材４を取付孔３１から容易に取り外すことができる。
【００３１】
上記膨出部２１の形状はとくに限定されず、ドーム型、円錐台、角錘台等種々の形状とすることができる。また上記膨出部２１の形状に応じて取付孔３１の外周面に座繰り部を設けてもよい。このように本願発明は設計変更自在であり、特許請求の範囲を逸脱しない限り、本願発明の技術的範囲に含まれる。
【符号の説明】
【００３２】
Ａ      本願発明に係る棚受け部材
１      取付孔挿入部
１１    小径竿部
１２    傾斜竿部
１３    大径竿部
２      棚板支持部
２１    膨出部
２２    凹部
３      側板
３１    取付孔
４      棚板
４１    係止部
５      間隙
【図１】
0005447429.tif 000002
【図２】
0005447429.tif 000003